(57)【特許請求の範囲】
【請求項１】
錠剤を破砕するための錠剤破砕用シリンジと、水を供給するための水供給用シリンジと、該錠剤破砕用シリンジと該水供給用シリンジを連結する三方活栓とを備え、該錠剤破砕用シリンジは内部に錠剤破砕用のピンを備え、該三方活栓は内部に各々流路を有する３本の連結端部と、該３本の連結端部の合流基部において該３本の連結端部の各流路の２本を選択して連通させる摺動弁体とを備え、該錠剤破砕用シリンジの先端部と該水供給用シリンジの先端部は該三方活栓のいずれかの連結端部に連結されていることを特徴とする錠剤懸濁投与装置。
【請求項２】
前記錠剤破砕用シリンジ及び前記水供給用シリンジが遮光性の材料からなることを特徴とする請求項１に記載の錠剤懸濁投与装置。
【請求項３】
水供給用シリンジ内に水を入れ、錠剤破砕用シリンジ内に錠剤を入れ、該錠剤破砕用シリンジで錠剤を破砕し、該錠剤破砕用シリンジと該水供給用シリンジを三方活栓を介して連結させた状態で、該三方活栓の該錠剤破砕用シリンジと該水供給用シリンジの間を連通させ、該錠剤破砕用シリンジと該水供給用シリンジとの間で水と錠剤を行き来させて水を錠剤とともに攪乱して錠剤を懸濁液化させることを特徴とする錠剤懸濁投与方法。
【請求項４】
水供給用シリンジ内に水を入れ、錠剤破砕用シリンジ内に錠剤を入れ、該錠剤破砕用シリンジで錠剤を破砕し、該錠剤破砕用シリンジと該水供給用シリンジを三方活栓を介して連結させた状態で、該三方活栓の該錠剤破砕用シリンジと該水供給用シリンジの間を連通させ、該錠剤破砕用シリンジと該水供給用シリンジとの間で水と錠剤を行き来させて水を錠剤とともに攪乱して錠剤を懸濁液化させ、得られた錠剤懸濁液を該三方活栓を介して患者に投与することを特徴とする錠剤懸濁投与方法。
【請求項５】
前記錠剤懸濁液を前記水供給用シリンジに移し、前記三方活栓の前記錠剤破砕用シリンジの側の経路を閉じ、該水供給用シリンジ内の該錠剤懸濁液を該三方活栓を介して患者に投与することを特徴とする請求項４に記載の錠剤懸濁投与方法。
【請求項６】
患者にセットした薬剤投入用チューブ又は栄養剤供給用チューブを介して前記錠剤懸濁液を前記三方活栓から患者に投与することを特徴とする請求項４又は５に記載の錠剤懸濁投与方法。
【請求項７】
錠剤を破砕するための錠剤破砕用シリンジと、水を供給するための水供給用シリンジと、該錠剤破砕用シリンジと該水供給用シリンジを連結する三方活栓と、洗浄水を供給するための洗浄水供給用シリンジと、該三方活栓と該洗浄水供給用シリンジを連結する第２三方活栓とを備え、該錠剤破砕用シリンジは内部に錠剤破砕用のピンを備え、該三方活栓及び該第２三方活栓は内部に各々流路を有する３本の連結端部と、該３本の連結端部の合流基部において該３本の連結端部の各流路の２本を選択して連通させる摺動弁体とを備え、該錠剤破砕用シリンジの先端部と該水供給用シリンジの先端部は該三方活栓のいずれかの連結端部に連結され、該第２三方活栓のいずれかの連結端部は該三方活栓の未連結の連結端部に連結され、該洗浄水供給用シリンジの先端部は該第２三方活栓の未連結の連結端部に連結されていることを特徴とする錠剤懸濁投与装置。
【請求項８】
前記錠剤破砕用シリンジ及び前記水供給用シリンジが遮光性の材料からなることを特徴とする請求項７に記載の錠剤懸濁投与装置。
【請求項９】
水供給用シリンジ内に水を入れ、洗浄水供給用シリンジ内に水を入れ、錠剤破砕用シリンジ内に錠剤を入れ、該錠剤破砕用シリンジで錠剤を破砕し、該錠剤破砕用シリンジと該水供給用シリンジを三方活栓を介して連結させた状態で、該三方活栓の該錠剤破砕用シリンジと該水供給用シリンジの間を連通させ、該錠剤破砕用シリンジと該水供給用シリンジとの間で水と錠剤を行き来させて水を錠剤とともに攪乱して錠剤を懸濁液化させ、得られた錠剤懸濁液を該三方活栓及び第２三方活栓を介して患者に投与し、該第２三方活栓から患者に至る該錠剤懸濁液の投与経路に洗浄水供給用シリンジ内の水を該第２三方活栓を介して送給することを特徴とする錠剤懸濁投与方法。
【請求項１０】
前記錠剤懸濁液を前記水供給用シリンジに移し、前記三方活栓の前記錠剤破砕用シリンジの側の経路を閉じ、該水供給用シリンジ内の該錠剤懸濁液を前記三方活栓及び前記第２三方活栓を介して患者に投与することを特徴とする請求項９に記載の錠剤懸濁投与方法。
【請求項１１】
患者にセットした薬剤投入用チューブ又は栄養剤供給用チューブを介して前記錠剤懸濁液を前記第２三方活栓から患者に投与することを特徴とする請求項９又は１０に記載の錠剤懸濁投与方法。
【発明の詳細な説明】
【技術分野】
【０００１】
本発明は、錠剤を水に懸濁させて懸濁薬液を形成し、該懸濁薬液を患者に投与する錠剤懸濁投与装置、及びこの装置を使用して該懸濁薬液を形成し、該懸濁薬液を患者に投与する錠剤懸濁投与方法に関するものである。
【背景技術】
【０００２】
近年、わが国は本格的な高齢化社会に直面し、薬剤を経管チューブで患者に投与する経鼻胃管、胃瘻投与など、薬剤の経管投与を必要とする老年者数が増加の一途をたどっている。
【０００３】
投与する薬剤が錠剤の場合での経鼻胃管、胃瘻投与では、錠剤を粉砕して粉砕散とし、これを白湯に溶かして投与する粉砕法、および錠剤を投与直前に約５５℃の温湯に入れ、崩壊懸濁化する、倉田式簡易懸濁法の二方法が用いられている。
【０００４】
簡易懸濁法は粉砕法に比し、主薬の安定性、薬剤投与の確実性などの面で優れた投与法であり、現在は、簡易懸濁法による錠剤懸濁液を患者に経管投与する方法が一般的となっている。
【０００５】
しかし、熱に不安定な一部の抗癌剤などでは、現在もなお、錠剤を粉砕して粉砕散とし、これを白湯に溶かす粉砕法が用いられている。
【０００６】
今日、癌化学療法に用いられている抗癌剤の多くは、変異原性や染色体異常の遺伝毒性、発癌性、胎児奇形性など、様々な危険因子を保持している。現在、内服抗癌剤の経管投与においては、粉砕法では調剤者および投与者（看護師、介護者）が、簡易懸濁法では投与者が、常に、飛散吸引などによる被曝の危険性にさらされている。
【０００７】
実際の抗癌剤被曝の現状として、調剤者、看護師の尿から、微量ではあるが抗癌剤が検出され、また病院薬局のドアノブや調剤台など、直接抗癌剤に触れることない箇所からの検出も報告されている。
【０００８】
従って、現在、粉砕調剤に関わる薬剤師だけでなく、抗癌剤投与に関わる全ての投与者（看護師、介護者など）に関して、抗癌剤被曝の危険性が懸念されている。
【０００９】
また、抗癌剤の一つであるシクロフォスファミド（ＣＰＡ）は常温で揮発するため、粉砕調剤および投与時に飛散した薬剤吸引による被曝だけでなく、経管投与後のチューブ、懸濁投与後の残液や使用器具および患者の尿などからの揮発により、患者が関わる全ての施設（病院、在宅、介護施設など）で抗癌剤汚染の危険性が懸念される。
【００１０】
世界保健機構（WHO）の一部門であるInternational Agency for Research on Cancer（IARC）は、ＣＰＡの発癌性に対して、最も危険度の高いグループ１に分類し、医薬品を含む化学物質の人体への被曝と発癌性に関するデータを編集し、危険度を分類している。
【００１１】
この報告でＣＰＡは、アスベストと同等に分類している。事実、抗癌剤取扱い医療従事者の尿からＣＰＡの検出報告もあり、また、ＣＰＡ以外の抗癌剤検出の事例が多数報告されている。
【００１２】
現在、注射剤での抗癌剤については、世界的に抗悪性腫瘍薬の注射剤の取扱いに関するガイドラインが作成され、日本でも、従来の「抗悪性腫瘍剤の院内取扱い指針」の改訂版として、日本病院薬剤師会監修のもと、２００６ 年に「抗がん剤調製マニュアル」が出版されるなど、抗癌剤の注射剤を取り扱う医療従事者への注意喚起がなされている。
【００１３】
日本病院薬剤師会監修の「抗がん剤調製マニュアル」では、安全キャビネット内での調製が指定されており、さらに調製者のキャップ、マスク、ゴーグル、ガウン、およびグローブ着用などの被曝防止策が求められている。
【００１４】
一方、抗癌剤内服薬の粉砕調剤、懸濁液調製では、注射剤の調製と同様の危険性があるにもかかわらず、日本薬剤師会編集の「第12 改訂調剤指針」では、「調剤者は通常のマスク、帽子の着用に加え、薬剤が直接皮膚に付着しないよう手袋で防御する」という記載のみであり、被曝防止の詳細な方策、指針を示していないのが現状である。
【００１５】
ＣＰＡは乳癌治療の多剤併用療法として、注射剤、内服薬として用いられるが、注射剤による治療が困難な場合や、一部の化学療法のレジメン（CMF療法など）では、経口内服薬（エンドキサン錠：登録商標）によるＣＰＡの連日投与が必要とされる。
【００１６】
しかし、嚥下障害がある癌患者では、粉砕調剤などでの投与法が必要であるが、現在のところ、調剤者、投与者（看護師、介護者など）が安全に調製し投与する方法は開発されておらず、ＣＰＡを代表とする危険薬剤での、投与関係者への早急な被曝回避対策が求められる。
【先行技術文献】
【特許文献】
【００１７】
【特許文献１】特開２００８−２６４５０４号公報
【非特許文献】
【００１８】
【非特許文献１】倉田なおみ著、藤島一郎監修「内服薬経管投与ハンドブック  第２版  簡易懸濁法可能医薬品一覧」株式会社じほう  ２００６年
【非特許文献２】北田 光一、加藤 裕久、濱 敏弘、中山 季昭、杉浦 伸一著、日本病院薬剤師会監修「抗がん薬調製マニュアル  第２版  抗悪性腫瘍剤の院内取扱い指針」株式会社じほう  ２００９年
【発明の概要】
【発明が解決しようとする課題】
【００１９】
本発明が解決しようとする課題は、錠剤の破砕及び懸濁液化、懸濁薬液の投与の一連の操作において、閉鎖系で錠剤の破砕と懸濁液化、懸濁薬液の投与ができない点である。
【課題を解決するための手段】
【００２０】
本発明は、医療従事者が危険な薬剤によって被曝しないように、錠剤を閉鎖系内で破砕し、この破砕した錠剤を閉鎖系内で懸濁液化し、得られた懸濁薬液を閉鎖系で患者に投与することを最も主要な特徴とする。
【００２１】
すなわち、本発明に係る錠剤懸濁投与装置は、錠剤を破砕するための錠剤破砕用シリンジと、水を供給するための水供給用シリンジと、該錠剤破砕用シリンジと該水供給用シリンジを連結する三方活栓とを備え、該錠剤破砕用シリンジは内部に錠剤破砕用のピンを備え、該三方活栓は内部に各々流路を有する３本の連結端部と、該３本の連結端部の合流基部において該３本の連結端部の各流路の２本を選択して連通させる摺動弁体とを備え、該錠剤破砕用シリンジの先端部と該水供給用シリンジの先端部は該三方活栓のいずれかの連結端部に連結されていることを特徴とする。
【００２２】
ここで、前記錠剤破砕用シリンジ及び前記水供給用シリンジは透光性の材料で形成してもよいし、遮光性の材料で形成してもよい。錠剤破砕用シリンジ及び前記水供給用シリンジを遮光性の材料で形成した場合は、光に不安定な薬剤でも、遮光下で懸濁液化することができるので、薬効を低下させることなく薬剤を患者に投与することができる。
【００２３】
また、本発明に係る薬剤投与方法は、水供給用シリンジ内に水を入れ、錠剤破砕用シリンジ内に錠剤を入れ、該錠剤破砕用シリンジで錠剤を破砕し、該錠剤破砕用シリンジと該水供給用シリンジを三方活栓を介して連結させた状態で、該三方活栓の該錠剤破砕用シリンジと該水供給用シリンジの間を連通させ、該錠剤破砕用シリンジと該水供給用シリンジとの間で水と錠剤を行き来させて水と錠剤を攪乱させ、この攪乱で得られた水と錠剤からなる錠剤懸濁液を該三方活栓を介して患者に投与することを特徴とする。
【００２４】
ここで、前記錠剤懸濁液を前記水供給用シリンジに移し、前記三方活栓の前記錠剤破砕用シリンジの側の経路を閉じ、該水供給用シリンジ内の該錠剤懸濁液を該三方活栓を介して患者に投与してもよい。また、患者にセットした薬剤投入用チューブ又は栄養剤供給用チューブを介して前記錠剤懸濁液を前記三方活栓から患者に投与してもよい。
【００２５】
また、本発明に係る別の錠剤懸濁投与装置は、錠剤を破砕するための錠剤破砕用シリンジと、水を供給するための水供給用シリンジと、該錠剤破砕用シリンジと該水供給用シリンジを連結する三方活栓と、洗浄水を供給するための洗浄水供給用シリンジと、該三方活栓と該洗浄水供給用シリンジを連結する第２三方活栓とを備え、該錠剤破砕用シリンジは内部に錠剤破砕用のピンを備え、該三方活栓及び該第２三方活栓は内部に各々流路を有する３本の連結端部と、該３本の連結端部の合流基部において該３本の連結端部の各流路の２本を選択して連通させる摺動弁体とを備え、該錠剤破砕用シリンジの先端部と該水供給用シリンジの先端部は該三方活栓のいずれかの連結端部に連結され、該第２三方活栓のいずれかの連結端部は該三方活栓の未連結の連結端部に連結され、該洗浄水供給用シリンジの先端部は該第２三方活栓の未連結の連結端部に連結されていることを特徴とする。
【００２６】
ここで、前記錠剤破砕用シリンジ及び前記水供給用シリンジは透光性の材料で形成してもよいし、遮光性の材料で形成してもよい。錠剤破砕用シリンジ及び前記水供給用シリンジを遮光性の材料で形成した場合は、光に不安定な薬剤でも、遮光下で懸濁液化することができるので、薬効を低下させることなく薬剤を患者に投与することができる。
【００２７】
また、本発明に係る別の薬剤投与方法は、水供給用シリンジ内に水を入れ、洗浄水供給用シリンジ内に水を入れ、錠剤破砕用シリンジ内に錠剤を入れ、該錠剤破砕用シリンジで錠剤を破砕し、該錠剤破砕用シリンジと該水供給用シリンジを三方活栓を介して連結させた状態で、該三方活栓の該錠剤破砕用シリンジと該水供給用シリンジの間を連通させ、該錠剤破砕用シリンジと該水供給用シリンジとの間で水と錠剤を行き来させて水と錠剤を攪乱させ、この攪乱で得られた水と錠剤からなる錠剤懸濁液を該三方活栓及び第２三方活栓を介して患者に投与し、該第２三方活栓から患者に至る該錠剤懸濁液の投与経路に洗浄水供給用シリンジ内の水を該第２三方活栓を介して送給することを特徴とする。
【００２８】
ここで、前記錠剤懸濁液を前記水供給用シリンジに移し、前記三方活栓の前記錠剤破砕用シリンジの側の経路を閉じ、該水供給用シリンジ内の該錠剤懸濁液を前記三方活栓及び前記第２三方活栓を介して患者に投与してもよい。
【００２９】
また、患者にセットした薬剤投入用チューブ又は栄養剤供給用チューブを介して前記錠剤懸濁液を前記第２三方活栓から患者に投与してもよい。
【発明の効果】
【００３０】
本発明は、錠剤粉砕用シリンジ内という閉鎖系内で錠剤を破砕することができ、また錠剤粉砕用シリンジと水供給用シリンジとこれらを連結する三方活栓という閉鎖系内で、破砕された錠剤と水（温湯）とを混合することができるので、薬剤が外部に暴露されることがなく、薬剤が抗癌剤などの細胞毒性、二次発癌性がある危険薬剤の場合でも医療従事者が薬剤に被曝する心配がなく、医療従事者を医療業務に安全に従事させることができるという効果がある。
【００３１】
また、本発明は、三方活栓を切り替えることにより、錠剤懸濁液を三方活栓から経管チューブという閉鎖系を介して患者に投与することができるので、薬剤が外部に暴露されることがなく、薬剤が抗癌剤などの細胞毒性、二次発癌性がある危険薬剤の場合でも医療従事者が薬剤に被曝する心配がなく、医療従事者を医療業務に安全に従事させることができるという効果がある。
【００３２】
また、本発明は、三方活栓を介して洗浄用シリンジを連結しているので、錠剤懸濁液を投与した経管チューブ内を患者にセットした閉鎖系の状態で洗浄することができ、この錠剤懸濁投与装置を患者から外したときに薬剤が外部に暴露されることがなく、薬剤が抗癌剤などの細胞毒性、二次発癌性がある危険薬剤の場合でも医療従事者が薬剤に被曝する心配がなく、医療従事者を医療業務に安全に従事させることができるという効果がある。
【００３３】
また、本発明は、抗癌剤などの細胞毒性、二次発癌性がある危険薬剤の使用でも、閉鎖系の状態で経管チューブ内や三方活栓内を洗浄することができるので、経管チューブや三方活栓を安全に取外すことができ、医療施設だけでなく在宅介護でも、使用済み器具を安全に廃棄することができるという効果がある。
【００３４】
また、本発明は、錠剤を錠剤破砕用シリンジという閉鎖空間内で破砕し、破砕された錠剤と水を三方活栓で連結された錠剤破砕用シリンジと水供給用シリンジという閉鎖系内で混合するので、異物の混入や細菌による汚染のない、きれいな清潔な状態の錠剤懸濁液を作ることができ、従って、きれいな清潔な状態の錠剤懸濁液を患者に投与することができるという効果がある。
【００３５】
また、本発明は、錠剤破砕用シリンジと水供給用シリンジを三方活栓を介して連結しているので、破砕した錠剤と水を錠剤破砕用シリンジと水供給用シリンジとの間で行き来させ、破砕した錠剤と水とを強制的に攪乱させ、錠剤懸濁液を短時間に容易に作ることができ、そして、錠剤懸濁液を患者に直ちに投与することができるという効果がある。
【００３６】
また、本発明は、三方活栓を切り替えることにより、錠剤懸濁液を三方活栓から経管チューブを介して患者に投与することができるので、錠剤懸濁液を患者に容易に投与することができるという効果がある。
【００３７】
また、本発明は、三方活栓を連結させることにより、複数薬剤をそれぞれ別の系で、薬剤の配合変化なしに投与することができるという効果がある。
【図面の簡単な説明】
【００３８】
【図１】図１は本発明の実施例１に係る錠剤懸濁投与装置の説明図である。
【図２】図２は錠剤破砕用シリンジの説明図である。
【図３】図３は水供給用シリンジの説明図である。
【図４】図４は三方活栓の説明図である。
【図５】図５は実施例１の装置を用いた錠剤懸濁投与方法の手順を示す工程図である。
【図６】図６は本発明の実施例２に係る錠剤懸濁投与装置の説明図である。
【図７】図７は洗浄水供給用シリンジの説明図である。
【図８】図８は実施例２の装置を用いた錠剤懸濁投与方法の手順を示す工程図である。
【図９】液体クロマトグラフ / タンデム質量分析装置（LC/MS/MS）でパッシブサンプラー中のシクロホスファミドを分析した結果を示すグラフである。
【発明を実施するための形態】
【００３９】
錠剤を閉鎖系内で破砕し、この破砕した錠剤を閉鎖系内で懸濁液化し、得られた懸濁薬液を閉鎖系で患者に投与するという目的を、簡単な装置で、面倒な操作をすることなく実現した。
【実施例１】
【００４０】
図１は本発明の実施例１に係る錠剤懸濁投与装置の説明図である。同図において、１０は錠剤破砕用シリンジ、１２は水供給用シリンジであり、錠剤破砕用シリンジ１０と水供給用シリンジ１２は三方活栓１４を介して相互に連結されている。そして、三方活栓１４の未連結の連結端部には接続用チューブ１６が連結されている。
【００４１】
図２は錠剤破砕用シリンジの説明図である。同図に示すように、錠剤破砕用シリンジ１０は、略円筒状の外筒１０ａと、外筒１０ａ内に摺動可能に挿入された略円柱状のガスケット１０ｂと、ガスケット１０ｂの後部に連結され、ガスケット１０ｂを前後に移動操作するプランジャ１０ｃとからなる。
【００４２】
錠剤破砕用シリンジ１０の外筒１０ａは一般的には透光性のプラスチック材料で形成されているが、遮光性のプラスチック材料で形成されていてもよい。錠剤破砕用シリンジ１０の外筒１０ａの先端側には注射針を嵌合させるための先端部１０ｆが突出形成されている。先端部１０ｆは中心に貫通孔が形成され、先端側に向けて細くなるようにテーパーが付いている略円筒体からなる。
【００４３】
錠剤破砕用シリンジ１０の外筒１０ａの先端側の内部には錠剤破砕用のピン１０ｄが内側に向けて突出するように設けられている。また、錠剤破砕用シリンジ１０のガスケット１０ｂの先端側には錠剤を乗せるための凹部１０ｅが形成されている。
【００４４】
図３は水供給用シリンジの説明図である。水供給用シリンジ１２は、同図に示すように、略円筒状の外筒１２ａと、外筒１２ａ内に摺動可能に挿入された略円柱状のガスケット１２ｂと、ガスケット１２ｂの後部に連結され、ガスケット１２ｂを前後に移動操作するプランジャ１２ｃとからなる。
【００４５】
水供給用シリンジ１２の外筒１２ａは一般的には透光性のプラスチック材料で形成されているが、遮光性のプラスチック材料で形成されていてもよい。水供給用シリンジ１２の外筒１２ａの先端側には注射針を嵌合させるためのテーパー状の先端部１２ｄが突出形成されている。先端部１２ｄは中心に貫通孔が形成され、先端側に向けて細くなるようにテーパーが付いている略円筒体からなる。
【００４６】
図４は三方活栓の説明図である。三方活栓１４は一般に市販されているものであり、３本の筒状の連結端部１４ａを備えている。連結端部１４ａは、一方の側が各々開放状態にあり、他方の側が相互に連結した状態になっている。３本の連結端部１４ａの相互に連結合流している部分には摺動弁体が回転可能に設けられ、摺動弁体にはコック１４ｂが一体的に設けられている。摺動弁体はコック１４ｂの下に隠れていて見えない。
【００４７】
三方活栓１４の摺動弁体には摺動弁体の回転軸と直角な貫通孔がＴ字状に形成され、摺動弁体の貫通孔の端部と連結端部の貫通孔の端部とを合わせることにより、三方活栓１４の流路を選択することができるようになっている。摺動弁体の貫通孔の端部と連結端部の貫通孔の端部とは、コック１４ｂを摺動弁体とともに回転させることにより、合わせることができる。
【００４８】
三方活栓１４の一の連結端部１４ａには錠剤破砕用シリンジ１０の先端部１０ｄが連結され、三方活栓１４の別の連結端部１４ａには水供給用シリンジ１２の先端部１２ｄが連結されている。三方活栓１４の残りの連結端部１４ａには接続用チューブ１６が連結されている。接続用チューブ１６は、患者にセットした経管チューブ（図示せず）に残りの連結端部１４ａを接続するためのものである。
【００４９】
次に、この実施例１に係る錠剤懸濁投与装置の使用方法について、図５に示す工程図を参照しながら説明する。
【００５０】
まず、三方活栓１４の連結端部１４ａから水供給用シリンジ１２を外し、予め水を入れておいたコップ内にこの水供給用シリンジ１２の先端部１２ｄを浸し、プランジャ１２ｃを引いて水供給用シリンジ１２内に水を入れ、この水供給用シリンジ１２を三方活栓１４の元の連結端部１４ａに連結する。
【００５１】
また、三方活栓１４の連結端部から錠剤破砕用シリンジ１０を外し、錠剤破砕用シリンジ１０の外筒１０ａからガスケット１０ｂ及びプランジャ１０ｃを抜き取り、外筒１０ａ内に錠剤を入れ、ガスケット１０ｂ及びプランジャ１０ｃを外筒１０ａに戻し、錠剤破砕用シリンジ１０の先端部１０ｆを連結端部１４ａに連結する。
【００５２】
プランジャ１０ｃの先端側を錠剤破砕用シリンジ１０とともに上方に向け、プランジャ１０ｃの先端側のガスケット１０ｂの凹部１０ｅに錠剤を乗せ、この状態でプランジャ１０ｃを押し、錠剤破砕用のピン１０ｄに錠剤をガスケット１０ｂで押し付け、錠剤を破砕する。
【００５３】
ここで、三方活栓１４は、コック１４ｄを摺動弁体とともに回転させ、接続用チューブ１６の側が閉状態になり、錠剤破砕用シリンジ１０に連結している連結端部１４ａと、水供給用シリンジ１２に連結している連結端部１４ａとの間で流路が連通形成されるようにしておく。
【００５４】
次に、水供給用シリンジ１２のプランジャ１２ｃと錠剤破砕用シリンジ１０のプランジャ１０ｃを交互に押して、水と錠剤を錠剤破砕用シリンジ１０と水供給用シリンジ１２との間で行き来させ、破砕された錠剤とともに水を攪乱させ、破砕された錠剤を懸濁液化させ、最後に、懸濁薬液の全てを水供給用シリンジ１２に移しておく。
【００５５】
次に、患者にセットされている経管チューブに接続チューブ１６を接続し、三方活栓１４のコック１４ｄを摺動弁体とともに回転させ、錠剤破砕用シリンジ１０が連結している連結端部１４ａの側を閉じ、接続用チューブ１６の端部に連結している連結端部１４ａの側を開ける。
【００５６】
次に、水供給用シリンジ１２のプランジャ１２ｃを押し、三方活栓１４を介して水供給用シリンジ１２内の懸濁薬液を接続用チューブ１６の側に送る。接続用チューブ１６に送られた懸濁薬液は経管チューブを通って患者に投与される。ここで、患者にセットした経管チューブは、薬剤投入用チューブでもよいし、栄養剤供給用チューブでもよい。
【実施例２】
【００５７】
図６は本発明の実施例２に係る錠剤懸濁投与装置の説明図である。同図に示すように、この錠剤懸濁投与装置は、錠剤を破砕するための錠剤破砕用シリンジ１０と、水を供給するための水供給用シリンジ１２と、錠剤破砕用シリンジ１０と水供給用シリンジ１２を連結する三方活栓１４と、洗浄水を供給するための洗浄水供給用シリンジ１８と、三方活栓１４と洗浄水供給用シリンジ１８を連結する第２三方活栓２０とを備えている。
【００５８】
この錠剤懸濁投与装置は、実施例１に係る錠剤懸濁投与装置に第２三方活栓２０を介して洗浄水供給用シリンジ１８を取り付けた点だけが実施例１の錠剤懸濁投与装置と相違している。従って、実施例１の錠剤懸濁投与装置と同一部分の説明は省略し、相違点だけについて説明する。
【００５９】
図７は洗浄水供給用シリンジの説明図である。洗浄水供給用シリンジ１８は、同図に示すように、略円筒状の外筒１８ａと、外筒１８ａ内に摺動可能に挿入された略円柱状のガスケット１８ｂと、ガスケット１８ｂの後部に連結され、ガスケット１８ｂを前後に移動操作するプランジャ１８ｃとからなる。
【００６０】
洗浄水供給用シリンジ１８の外筒１８ａは透光性のプラスチック材料で形成されている。洗浄水供給用シリンジ１８の外筒１８ａの先端側には注射針を嵌合させるためのテーパー状の先端部１８ｄが突出形成されている。先端部１８ｄは中心に貫通孔が形成され、先端側に向けて細くなるようにテーパーが付いている略円筒体からなる。
【００６１】
次に、この実施例２に係る錠剤懸濁投与装置の使用方法について、図８に示す工程図を参照しながら説明する。
【００６２】
まず、三方活栓１４（以下、表現上の便宜から、第１三方活栓１４という。）の連結端部１４ａから水供給用シリンジ１２を外し、予め水を入れておいたコップ内にこの水供給用シリンジ１２の先端部１２ｄを浸し、プランジャ１２ｃを引いて水供給用シリンジ１２内に水を入れ、この水供給用シリンジ１２を第１三方活栓１４の元の連結端部１４ａに連結する。
【００６３】
また、第１三方活栓１４の連結端部から錠剤破砕用シリンジ１０を外し、錠剤破砕用シリンジ１０の外筒１０ａからガスケット１０ｂ及びプランジャ１０ｃを抜き取り、外筒１０ａ内に錠剤を入れ、ガスケット１０ｂ及びプランジャ１０ｃを外筒１０ａに戻し、錠剤破砕用シリンジ１０の先端部１０ｆを連結端部１４ａに連結する。
【００６４】
プランジャ１０ｃの先端側を錠剤破砕用シリンジ１０とともに上方に向け、プランジャ１０ｃの先端側のガスケット１０ｂの凹部１０ｅに錠剤を乗せ、この状態でプランジャ１０ｃを押し、錠剤破砕用のピン１０ｄに錠剤をガスケット１０ｂで押し付け、錠剤を破砕する。
【００６５】
ここで、第１三方活栓１４は、コック１４ｂを摺動弁体とともに回転させて第２三方活栓２０の側を閉状態にし、錠剤破砕用シリンジ１０に連結している連結端部１４ａと、水供給用シリンジ１２に連結している連結端部１４ａとの間で流路が連通形成されるようにしておく。
【００６６】
次に、水供給用シリンジ１２のプランジャ１２ｃと錠剤破砕用シリンジ１０のプランジャ１０ｃを交互に押して、水と錠剤を錠剤破砕用シリンジ１０と水供給用シリンジ１２との間で行き来させ、水を破砕された錠剤とともに攪乱させ、破砕された錠剤を懸濁液化させ、最後に、懸濁薬液の全てを水供給用シリンジ１２に移しておく。
【００６７】
次に、栄養剤供給用チューブ２２の途中の第３三方活栓２４に第２三方活栓２０を連結し、第１三方活栓１４のコック１４ｂを摺動弁体とともに回転させて錠剤破砕用シリンジ１０の側を閉状態にし、第２三方活栓２０の側を開状態にする。そして、第２三方活栓２０のコック２０ｂを摺動弁体とともに回転させて第３三方活栓２４の側を開状態にし、洗浄水供給用シリンジ１８の側を閉状態にする。そして、第３三方活栓２４のコックを摺動弁体とともに回転させて栄養剤の側を閉状態にし、第２三方活栓２０の側を開状態にする。
【００６８】
次に、水供給用シリンジ１２のプランジャ１２ｃを押し、水供給用シリンジ１２内の懸濁薬液を、第１三方活栓１４、第２三方活栓２０を介して栄養剤供給用チューブ２２の第３三方活栓２４に送る。懸濁薬液は第３三方活栓２４を介して栄養剤供給用チューブ２２に入り、栄養剤供給用チューブ２２を通って患者に投与される。
【００６９】
次に、予め水を入れておいたコップ内に洗浄水供給用シリンジ１８の先端部１８ｄを浸し、プランジャ１８ｃを引いて洗浄水供給用シリンジ１８内に水を入れ、この洗浄水供給用シリンジ１８を第２三方活栓２０の元の連結端部２０ａに連結する。そして、第２三方活栓２０のコック２０ｂを摺動弁体とともに回転させて第１三方活栓１４の側を閉状態にし、洗浄水供給用シリンジ１８の側を開状態にする。
【００７０】
次に、洗浄水供給用シリンジ１８のプランジャ１８ｃを押し、第２三方活栓２０を介して洗浄水供給用シリンジ１８内の洗浄水を第２三方活栓２０及び第３三方活栓２４の側に送る。洗浄水は第２三方活栓２０及び第３三方活栓２４の内部を洗いながら栄養剤供給用チューブ２２内に入る。
【００７１】
この状態では、第２三方活栓２０及び第３三方活栓２４の内部は洗浄水によって洗浄されているので、本装置を第２三方活栓２０と第３三方活栓２４の間で取り外しても、懸濁薬剤による被曝の心配が無い。
【実施例３】
【００７２】
本発明に係る錠剤懸濁投与装置を用いて、一般薬であるコートリル錠の懸濁液化を行ったところ、常温の水を用いていても、１分間で錠剤の懸濁液化ができ、患者に投与可能であった。
【００７３】
これに対し、簡易懸濁法ハンドブックにおけるコートリル錠の記載では、５５℃の温湯２０mLで錠剤の懸濁を行った場合、５分間では懸濁液化は不可、１０分間で懸濁液化ができ、投与可能と記されている。
【００７４】
従って、本発明に係る錠剤懸濁投与装置を用いた場合、お湯の用意なしで、水道水（２５℃）２０mL 、所要時間１分間で錠剤の破砕から懸濁液化、投与までが可能となり、従来法よりもはるかに迅速に薬剤を懸濁液化して投与することが可能であることがわかった。
【実施例４】
【００７５】
また、本発明に係る錠剤懸濁投与装置を用いて錠剤の懸濁薬液を形成し、この懸濁薬液の主薬を液体クロマトグラフィー／紫外可視吸光検出器で定量分析し、主薬の回収率を求めたところ、主薬の回収率は９５%〜１００%であった。従って、本発明に係る錠剤懸濁投与装置を用いて錠剤の懸濁薬液を形成した場合、主薬の損失がなく、殆ど全ての薬剤を投与することが可能であることがわかった。
【実施例５】
【００７６】
口元に市販の高性能パッシブサンプラー（VOC-SD溶媒抽出用、シグマアルドリッチ社製）をつけ、抗癌剤のエンドキサン錠を用いて、本発明器具により錠剤の破壊から懸濁投与までの一連操作を行い、液体クロマトグラフ／タンデム質量分析装置（LC/MS/MS）でシクロホスファミドを測定した。
【００７７】
その結果、すべてのサンプル（n = 5）において、シクロホスファミドは検出限界（0.005 ng/mL）以下であり、本発明器具により錠剤の破壊から懸濁投与までの一連操作における薬剤被曝に対する安全性を確認することができた。
【００７８】
また、比較例として、従来法の粉砕法によりエンドキサン錠を粉砕、懸濁液化し、投与を行う過程での被曝状況を調べた。
【００７９】
ここでも、調剤者、投与者の口元にパッシブサンプラーをつけ、エンドキサン錠の粉砕調剤、および粉砕散の懸濁投与を行い、液体クロマトグラフ／タンデム質量分析装置（LC/MS/MS）でパッシブサンプラー（各Ｎ＝５）中のシクロホスファミドを分析した。
【００８０】
その結果、図９に示すように、調剤者（n = 5）、投与者（n = 5）のすべてのサンプラーから１０〜１００μgの範囲で抗癌剤のシクロホスファミド（ＣＰＡ）が検出され、調剤者だけでなく、投与者でも抗癌剤被曝の危険性が確認された。
【符号の説明】
【００８１】
１０ 錠剤破砕用シリンジ
１０ａ 外筒
１０ｂ ガスケット
１０ｃ プランジャ
１０ｄ ピン
１０ｄ 先端部
１０ｅ 凹部
１０ｆ 先端部
１２ 水供給用シリンジ
１２ａ 外筒
１２ｂ ガスケット
１２ｃ プランジャ
１２ｄ 先端部
１４ 三方活栓
１４ａ 連結端部
１４ｂ コック
１６ 接続用チューブ
１８ 洗浄水供給用シリンジ
１８ａ 外筒
１８ｂ ガスケット
１８ｃ プランジャ
１８ｄ 先端部
２０ 第２三方活栓
２０ａ 連結端部
２２  栄養剤供給用チューブ
２４  第３三方活栓
【図１】
0005624446.tif 000002
【図２】
0005624446.tif 000003
【図３】
0005624446.tif 000004
【図４】
0005624446.tif 000005
【図５】
0005624446.tif 000006
【図６】
0005624446.tif 000007
【図７】
0005624446.tif 000008
【図８】
0005624446.tif 000009
【図９】
0005624446.tif 000010